(57)【要約】【課題】コーティング面について、実際の多様な照明環境に対応し、かつ人間による視覚的判断に近い評価結果を得ることができる外観評価装置を提供すること。【解決手段】この発明の外観評価装置（１００）は、コーティングパネル（１０１）に対して、第１の入射角度で光を照射する少なくとも１つの第１光源（２１）と、コーティングパネル（１０１）に対して、第１の入射角度と異なる第２の入射角度で光を照射する少なくとも１つの第２光源（２２）と、コーティングパネル（１０１）の画像を撮像するための撮像部（３０）と、撮像された画像からＲＧＢチャンネルの色値を取得する色値取得部（５０）と、ＲＧＢチャンネルの色値に基づいて外観粗さを評価する外観粗さ評価部（６０）とを備えて構成されている。【選択図】図１
2019184537.tif 000002
【特許請求の範囲】
【請求項１】
コーティング面の外観を評価する外観評価装置であって、
少なくとも１つの第１光源と、
上記第１光源とは別の少なくとも１つの第２光源と、
上記コーティング面の画像を撮像するための撮像部と、
撮像された画像からＲＧＢチャンネルの色値を取得する色値取得部と、
上記ＲＧＢチャンネルの色値に基づいて外観粗さを評価する外観粗さ評価部とを備え、
上記少なくとも１つの第１光源は、上記コーティング面に対して第１の入射角度で光を照射し、上記少なくとも１つの第２光源は、上記コーティング面に対して上記第１の入射角度と異なる第２の入射角度で光を照射することを特徴とする外観評価装置。
【請求項２】
請求項１の外観評価装置において、
上記外観粗さ評価部は、上記ＲＧＢチャンネルの色値を平滑化し、平滑化した値と上記取得されたＲＧＢチャンネルの色値との差分を演算し、上記差分に基づいて外観粗さパラメータを演算して評価結果として求めることを特徴とする外観評価装置。
【請求項３】
請求項１ないし２のうちいずれか１項の外観評価装置において、
上記コーティング面に対する上記撮像部の光軸の角度は、可変して設定されることを特徴とする外観評価装置。
【請求項４】
請求項１ないし３のうちいずれか１項の外観評価装置において、
上記第１光源及び第２光源の光強度は、可変して設定されることを特徴とする外観評価装置。
【請求項５】
請求項１ないし４のうちいずれか１項の外観評価装置において、
上記第１光源及び第２光源の上記コーティング面に対する入射角度は、可変して設定されることを特徴とする外観評価装置。
【請求項６】
コーティング面の外観を評価する外観評価方法であって、
コーティング面に対して、第１光源によって第１の入射角度で光を照射するとともに、第２光源によって上記第１の入射角度と異なる第２の入射角度で光を照射した状態で、撮像部によって上記コーティング面の画像を撮像し、
その撮像された画像からＲＧＢチャンネルの色値を取得し、
上記ＲＧＢチャンネルの色値に基づいて外観粗さを評価することを特徴とする外観評価方法。
【請求項７】
請求項６の外観評価方法において、
上記ＲＧＢチャンネルの色値に基づいて外観粗さを評価することは、
上記ＲＧＢチャンネルの色値を平滑化するステップと、
上記平滑化された色値と上記取得されたＲＧＢチャンネルの色値との差分を演算するステップと、
上記差分に基づいて外観粗さパラメータを評価結果として求めるステップと、
を含む外観粗さ測定方法。
【請求項８】
コーティング面の外観の色味を評価する外観評価装置であって、
少なくとも１つの第１光源と、
上記第１光源とは別の少なくとも１つの第２光源と、
上記コーティング面の画像を撮像するための撮像部と、
撮像された画像からＲＧＢチャンネルの色値を取得する色値取得部と、
上記ＲＧＢチャンネルの色値に基づいて色味を評価する色味評価部とを備え、
上記少なくとも１つの第１光源は、上記コーティング面に対して第１の入射角度で光を照射し、上記少なくとも１つの第２光源は、上記コーティング面に対して上記第１の入射角度と異なる第２の入射角度で光を照射することを特徴とする外観評価装置。
【発明の詳細な説明】
【技術分野】
【０００１】
本発明は、外観評価装置及び外観評価方法に関し、より詳しくは、コーティング面の外観を評価する装置および方法に関する。
【背景技術】
【０００２】
従来、この種のコーティング面の外観を評価する装置としては、例えば、米国特許第８２７０６９９号明細書に開示されているように、単一の光源により、固定照射角度でかつ様々な照度でコーティング面を照明し、撮像素子を用いて外観を評価するものが知られている。
【先行技術文献】
【特許文献】
【０００３】
【特許文献１】米国特許第８２７０６９９号明細書
【発明の概要】
【発明が解決しようとする課題】
【０００４】
ところで、伝統的には、コーティング面の外観は、人間の眼による判断に基づいて評価される。その際、実際の多様な照明環境に対応した判断が必要となる。このため、測定時にコーティング面を照射する光源も、実際の多様な照明環境に近似した光源が求められる。しかしながら、特許文献１（米国特許第８２７０６９９号明細書）に記載のものでは、単一の光源と撮像素子を用いているので、実際の多様な照明環境に対応して、コーティング面の外観、特に外観粗さ（外観に現れた粗さ）を評価するのが難しく、人間による視覚的判断に劣るという問題がある。
【０００５】
そこで、この発明の課題は、コーティング面について、実際の多様な照明環境に対応し、かつ人間による視覚的判断に近い評価結果を得ることができる外観評価装置及び外観評価方法を提供することにある。
【課題を解決するための手段】
【０００６】
そこで、この発明の外観評価装置は、
少なくとも１つの第１光源と、
上記第１光源とは別の少なくとも１つの第２光源と、
上記コーティング面の画像を撮像するための撮像部と、
撮像された画像からＲＧＢチャンネルの色値を取得する色値取得部と、
上記ＲＧＢチャンネルの色値に基づいて外観粗さを評価する外観粗さ評価部とを備え、
上記少なくとも１つの第１光源は、上記コーティング面に対して第１の入射角度で光を照射し、上記少なくとも１つの第２光源は、上記コーティング面に対して上記第１の入射角度と異なる第２の入射角度で光を照射することを特徴とする。
【０００７】
本明細書で、「コーティング面」とは、平面または曲面の表面にコーティング材が設けられてなる対象物を指す。
【０００８】
また、「外観粗さ」とは、外観（見た目）に現れた粗さを意味する。この外観粗さは、表面粗さ（表面の形状の凹凸を意味する）とは区別される。
【０００９】
この発明の外観評価装置では、第１光源が、コーティング面に対して、第１の入射角度で光を照射する。また、第２光源が、コーティング面に対して、第１の入射角度と異なる第２の入射角度で光を照射する。色値取得部は、撮像された画像からＲＧＢチャンネルの色値を取得する。そして、外観粗さ評価部は、上記ＲＧＢチャンネルの色値に基づいて外観粗さを評価する。このように、この外観評価装置では、互いに入射角度が異なる２つの光源と、人間の３種類の視覚細胞と同様のＲＧＢチャネルの色値を用いて外観粗さを評価している。その結果、実際の多様な照明環境における人間による視覚的判断に近い、コーティング面の外観粗さの評価結果を得ることができる。
【００１０】
一実施形態の外観評価装置では、上記外観粗さ評価部は、上記ＲＧＢチャンネルの色値を平滑化し、平滑化した値と上記取得されたＲＧＢチャンネルの色値との差分を演算し、上記差分に基づいて外観粗さパラメータを演算して評価結果として求めることを特徴とする。
【００１１】
この一実施形態の外観評価装置では、ＲＧＢチャネルの色値に基づいて、簡易に人間による視覚的判断に近い外観粗さパラメータを評価結果として求めることができる。
【００１２】
一実施形態の外観評価装置では、上記コーティング面に対する上記撮像部の光軸の角度は、可変して設定されることを特徴とする。
【００１３】
この一実施形態の外観評価装置では、コーティング面に対する撮像部の光軸の角度が可変して設定されることによって、測定に最適な位置でコーティング面の平面からの反射光を撮像部が受光することが可能になる。この結果、評価精度が向上する。
【００１４】
一実施形態の外観評価装置では、上記第１光源及び第２光源の光強度は、可変して設定されることを特徴とする。
【００１５】
この一実施形態の外観評価装置では、上記第１光源及び第２光源の光強度が可変して設定されることによって、第１光源及び第２光源により、容易に多様な照明環境を作り出すことが可能になる。この結果、評価精度が向上する。
【００１６】
一実施形態の外観評価装置では、上記第１光源及び第２光源の上記コーティング面に対する入射角度は、可変して設定されることを特徴とする。
【００１７】
この一実施形態の外観評価装置では、上記第１光源及び第２光源の上記コーティング面に対する入射角度は、可変して設定される。したがって、第１光源及び第２光源により、容易に多様な照明環境を作り出すことが可能になり、評価精度が向上する。
【００１８】
別の局面では、この発明の外観評価方法は、
コーティング面の外観を評価する外観評価方法であって、
コーティング面に対して、第１光源によって第１の入射角度で光を照射するとともに、第２光源によって上記第１の入射角度と異なる第２の入射角度で光を照射した状態で、撮像部によって上記コーティング面の画像を撮像し、
その撮像された画像からＲＧＢチャンネルの色値を取得し、
上記ＲＧＢチャンネルの色値に基づいて外観粗さを評価することを特徴とする。
【００１９】
この発明の外観評価方法では、互いに入射角度が異なる２つの光源と、人間の３種類の視覚細胞と同様のＲＧＢチャネルの色値を用いて外観粗さを評価している。その結果、実際の多様な照明環境における人間による視覚的判断に近い、コーティング面の外観粗さの評価結果を得ることができる。
【００２０】
一実施形態の外観評価方法では、
上記ＲＧＢチャンネルの色値に基づいて外観粗さを評価することは、
上記ＲＧＢチャンネルの色値を平滑化するステップと、
上記平滑化された色値と上記取得されたＲＧＢチャンネルの色値との差分を演算するステップと、
上記差分に基づいて外観粗さパラメータを評価結果として求めるステップと、
を含む。
【００２１】
この一実施形態の外観評価方法では、ＲＧＢチャネルの色値に基づいて、簡易に人間による視覚的判断に近い外観粗さパラメータを評価結果として求めることができる。
【００２２】
別の局面では、この発明の外観評価装置は、
コーティング面の外観の色味を評価する外観評価装置であって、
少なくとも１つの第１光源と、
上記第１光源とは別の少なくとも１つの第２光源と、
上記コーティング面の画像を撮像するための撮像部と、
撮像された画像からＲＧＢチャンネルの色値を取得する色値取得部と、
上記ＲＧＢチャンネルの色値に基づいて色味を評価する色味評価部とを備え、
上記少なくとも１つの第１光源は、上記コーティング面に対して第１の入射角度で光を照射し、上記少なくとも１つの第２光源は、上記コーティング面に対して上記第１の入射角度と異なる第２の入射角度で光を照射することを特徴とする。
【００２３】
この発明の外観評価装置では、互いに入射角度が異なる２つの光源と、人間の３種類の視覚細胞と同様のＲＧＢチャネルの色値を用いて色味を評価している。その結果、コーティング面の色味の精度の高い評価結果を得ることができる。
【発明の効果】
【００２４】
以上より明らかなように、この本発明の外観評価装置及び外観評価方法によれば、コーティング面について、実際の多様な照明環境に対応し、かつ人間による視覚的判断に近い評価結果を得ることができる。
【図面の簡単な説明】
【００２５】
【図１】この発明の一実施形態の外観評価装置の概略図である。
【図２】上記外観評価装置のブロック構成を示す図である。
【図３】外観粗さ評価の対象となるコーティング面としてのコーティングパネルを撮像して得られた画像を示す図である。
【図４】図４（Ａ）は、図３の画像について得られたプライマリープロファイルを示す図である。図４（Ｂ）は、図３の画像について得られたウェービネスプロファイルを示す図である。図４（Ｃ）は、図３の画像について得られた外観粗さプロファイルを示す図である。
【図５】上記外観評価装置による、一実施形態の外観評価方法の動作フロー図である。
【図６】図６（Ａ）は、図３の画像について得られた外観粗さパラメータと物理的に上記コーティングパネルの表面粗さを測定して得られた値との相関を示す図である。図６（Ｂ）は、図３の画像について得られた外観粗さパラメータとＢＹＫウェーブスキャン（登録商標）により上記コーティングパネルの外観粗さを測定して得られた値との相関を示す図である。図６（Ｃ）は、図３の画像について得られた外観粗さパラメータと人間の視覚により上記コーティングパネルの外観粗さを評価して得られた値との相関を示す図である。
【図７】図６（Ａ）〜図６（Ｃ）で測定されたそれぞれの相関関係を比較して示す図である。
【図８】図８（Ａ）は、図１０に示す番号１〜４が付された色味の異なる赤色のコーティングパネルを対象とし、それらの表面を撮像して得られた複数の画像について得られたＲＧＢプライマリープロファイルを示す図である。図８（Ｂ）は、図１０に示す番号５〜８が付された色味の異なる銀色のコーティングパネルを対象とし、それらの表面を撮像した複数の画像について得られたＲＧＢプライマリープロファイルを示す図である。
【図９】図９（Ａ）は、図１１に示す番号９〜１１が付された色味の異なる黒色のコーティングパネルを対象とし、それらの表面を撮像した複数の画像について得られたＲＧＢプライマリープロファイルを示す図である。図９（Ｂ）は、図１１に示す番号１２〜１５が付された色味の異なる青色のコーティングパネルを対象とし、それらの表面を撮像した複数の画像について得られたＲＧＢプライマリープロファイルを示す図である。
【図１０】番号１〜４が付された色味の異なる赤色のコーティングパネルの画像と、番号５〜８が付された色味の異なる銀色のコーティングパネルの画像を示す図である。
【図１１】番号９〜１１が付された色味の異なる黒色のコーティングパネルの画像と、番号１２〜１５が付された色味の異なる青色のコーティングパネルの画像を示す図である。
【発明を実施するための形態】
【００２６】
以下、この発明の実施の形態を、図面を参照しながら詳細に説明する。
【００２７】
（外観評価装置の構成）
図１は、この発明の一実施形態の外観評価装置（全体を符号１００で示す。）の概略図を示している。
【００２８】
図１に示すように、この外観評価装置１００は、大別して、コーティング面（以下、適宜「コーティングパネル」と呼ぶ）１０１と、このコーティングパネル１０１の表面に平行な平面２００に対して、光を照射する第１光源２１及び第２光源２２と、コーティングパネル１０１の画像を撮像するための撮像部３０と、撮像部３０に接続される後述の図２に示すコンピュータ４０とを備えている。
【００２９】
コーティングパネル１０１は、平面または曲面の表面にコーティング材が設けられてなる対象物であり、この例では、車両のコーティングパネルである。コーティングパネル１０１の塗料は、この例では、車両の塗装に用いられる場合、３ウエット塗料が用いられるが、これに限られない。
【００３０】
第１光源２１は、この例では、１つまたは複数のレーザ光または蛍光灯からなり、光強度が変更可能になっている。第１光源２１は、外観評価装置１００が設置された部屋の天井または壁、支柱などに、その光軸の角度が可変可能に取り付けられる。
【００３１】
第２光源２２は、この例では、１つまたは複数の拡散白色光Ｄ６５またはカメラのフラッシュライトからなり、光強度が変更可能になっている。第２光源２２は、外観評価装置１００が設置された部屋の天井または壁、支柱などに、その光軸の角度が可変可能に取り付けられる。
【００３２】
撮像部３０は、この例では、カメラまたはビデオカメラからなる。撮像部３０は、コーティングパネル１０１の表面を撮像する。撮像部３０は、外観評価装置１００が設置された部屋の天井または壁、支柱などに、その撮像方向の角度が可変可能に取り付けられる。撮像された画像は、後述の図２に示すコンピュータ４０に入力される。
【００３３】
図１によって分かるように、第１光源２１は、コーティングパネル１０１の表面に平行な平面２００に対して垂直なＺ軸から入射角θ１の傾きで光を照射する。第２光源は、入射角θ１と異なるＺ軸から入射角θ２の傾きで光を照射する。撮像部３０は、コーティングパネル１０１の表面に平行な平面２００に対してチルト角θｔの傾きでコーティングパネル１０１の表面によって散乱された散乱光を受光して撮像する。
【００３４】
この例では、第１光源２１及び第２光源２２の光強度は、可変して設定され得る。また、第１光源２１及び第２光源２２の上記コーティングパネル１０１に対する入射角θ１，θ２は、可変して設定され得る。したがって、第１光源及び第２光源により、容易に多様な照明環境を作り出すことが可能になる。この結果、評価精度が向上する。この例では、入射角θ１は、１０度から８０度の範囲で設定され、好ましくは、２０度から６０度の範囲で設定され、より好ましくは、３０度から５０度の範囲で設定される。入射角θ２は、１０度から８０度の範囲で設定され、好ましくは、２０度から６０度の範囲で設定され、より好ましくは、３０度から５０度の範囲で設定される。チルト角θｔは、１０度から８０度の範囲で設定され、好ましくは、２０度から７０度の範囲で設定され、より好ましくは、３０度から６０度の範囲で設定される。
【００３５】
図２は、この発明の外観評価装置の撮像系のブロック構成を示している。この例では、撮像系のブロック構成は、撮像部３０と、コンピュータ４０の機能として、撮像された画像から色空間Ｒ（赤）、Ｇ（緑）、Ｂ（青）からなるＲＧＢチャネルの色値５１を取得する色値取得部５０と、ＲＧＢチャネルの色値５１に基づいて外観粗さを評価する外観粗さ評価部６０とを備えている。
【００３６】
色値取得部５０は、撮像部から画像を入力し、画像の画素を色空間ＲＧＢ各チャンネルの色値５１であるプライマリープロファイルを取得する。プライマリープロファイルの強度は、８ビットで量子化する場合、０〜２５５の範囲で表される。なお、外観粗さ評価に用いられるのは、Ｒ（赤）チャンネル、Ｇ（緑）チャンネル、Ｂ（青）チャンネルのうちいずれか一つの色値であってもよく、それらの組み合わせであってもよい。
【００３７】
外観粗さ評価部６０は、色値取得部５０からＲＧＢチャネルの色値５１であるプライマリープロファイルを入力し、プライマリープロファイルに基づいて外観粗さを評価する。外観粗さ評価動作については図５に詳述する。
【００３８】
コンピュータ４０は、具体的には、ＣＰＵと、メモリー、ＨＤＤ等の補助記憶装置と、有線または無線により通信ネットワークや撮像部３０に接続するための通信インタフェースと、マウス、キーボード、タッチパネルなどの入力装置と、ディスプレイなどの出力装置と、記憶媒体に対する情報の読み書きを行うメディアインタフェースなどによって構成される。
【００３９】
図３は、この発明の一実施形態のコーティングパネル１０１の撮像された画像４を示す図である。縦軸は、図１に示すｙ軸と同じ方向を示すｙ軸である。横軸は、図１の図面に対して垂直なｘ軸である。図３によって分かるように中央部分が明るくその両側部分が暗く撮像されている。
【００４０】
図４（Ａ）は、図３の画像について得られたプライマリープロファイルを示す。この例では、外観粗さ評価に用いられるＲ（赤）チャンネルのプライマリープロファイルを示している。横軸は、画素であり、図３に示すコーティングパネル１０１の表面のｙ軸に沿った長さを表す。縦軸は、色値５１であるプライマリープロファイルの強度であり、０〜２５５の範囲で表される。
【００４１】
（外観評価装置の動作フロー）
図５は、外観評価装置１００が行う一実施形態の外観評価方法の動作フローを示す。このフローは、例えば、外観評価装置１００がコンピュータ４０の通信インタフェースや入力装置などを介して動作の開始指示をユーザから受けることによって開始される。
【００４２】
まず、撮像部３０がコーティングパネルの画像を撮像する（ステップＳ１０１）。撮像は、ユーザの操作によることに限らず、コンピュータ４０によって制御されて撮像部３０が画像を撮像してもよい。
【００４３】
次に、色値取得部５０は、撮像された画像からＲＧＢチャネルの色値５１（プライマリープロファイル）を取得する（ステップＳ１０２）。
【００４４】
次に、外観粗さ評価部６０は、色値取得部５０からＲＧＢチャネルの色値５１を入力し、このＲＧＢチャネルの色値５１を演算によって平滑化する（ステップＳ１０３）。この演算は、この例では、次の式Ｅｑ１のガウス関数を用いることができる。
【００４５】
【数１】
2019184537.tif 000003
…（Ｅｑ１）
【００４６】
また、上記式Ｅｑ１のガウス関数に代えて次の式Ｅｑ２の関数を用いて平滑化してもよい。
【００４７】
【数２】
2019184537.tif 000004
…（Ｅｑ２）
【００４８】
平滑化されたＲＧＢチャネルの色値５１は、ウェービネスプロファイルとして、図４（Ｂ）に示される。図４（Ｂ）において、横軸は、画素であり、図３に示すコーティングパネル１０１の表面のｙ軸に沿った長さに相当する。縦軸は、色値５１の強度であり、０〜２５５の範囲で表される。
【００４９】
次に、外観粗さ評価部６０は、平滑化された色値と取得されたＲＧＢチャネルの色値５１との差分を演算する（ステップＳ１０４）。差分は、外観粗さプロファイルとして、図４（Ｃ）に示される。横軸は、画素であり、図３に示すコーティングパネル１０１の表面のｙ軸に沿った長さに相当する。縦軸は、色値５１の差分の強度である。
【００５０】
この後、コンピュータ４０は、外観粗さ評価部６０において、差分に基づいて外観粗さパラメータを演算し、評価結果として得る（ステップＳ１０５）。外観粗さパラメータは、この例では、外観粗さパラメータＲａを用いて演算することができる。外観粗さパラメータＲａは、次の式Ｅｑ３で求められる。
【００５１】
【数３】
2019184537.tif 000005
…（Ｅｑ３）
【００５２】
また、上記式Ｅｑ３のＲａに代えて、次の以下の外観粗さを表す値Ｒｑ（式Ｅｑ４参照）またはＲｚ（式Ｅｑ５参照）を用いてもよい。
【００５３】
【数４】
2019184537.tif 000006
…（Ｅｑ４）
【００５４】
【数５】
2019184537.tif 000007
…（Ｅｑ５）
【００５５】
このようにして、この例では、ＲＧＢチャネルの色値５１に基づいて、簡易に人間による視覚的判断に近い外観粗さパラメータＲａを評価結果として求めることができる。
【００５６】
（外観粗さ評価結果）
図６（Ａ）は、図３の画像について得られた外観粗さパラメータＲａと物理的な表面粗さとの相関を示す図である。縦軸は、図３の画像について外観評価装置１００で得られた外観粗さパラメータＲａである。横軸は、物理的にコーティングパネル１０１の表面粗さを測定して得られた値である。表面粗さ測定には、株式会社ミツトヨ製ＳＪ−２１０を用いた。この図６（Ａ）から明らかなように、外観評価装置１００で得られた外観粗さパラメータＲａと物理的な表面粗さとは相関していることが分かる。
【００５７】
図６（Ｂ）は、図３の画像について得られた外観粗さパラメータＲａとＢＹＫウェーブスキャン（登録商標）により外観粗さを測定して得られた値との相関を示す図である。縦軸は、図３の画像について外観評価装置１００で得られた外観粗さパラメータＲａである。横軸は、市販のＢＹＫウェーブスキャン（登録商標）（株式会社東洋精機製作所製）によって光学的にコーティングパネル１０１の塗装表面性状を測定して得られた値である。この図６（Ｂ）から明らかなように、外観評価装置１００で得られた外観粗さパラメータＲａとＢＹＫウェーブスキャン（登録商標）を用いて光学的に塗装表面性状を測定して得られた値とは相関していることが分かる。
【００５８】
図６（Ｃ）は、図３の画像について得られた外観粗さパラメータＲａと人間の視覚によりコーティングパネル１００の外観粗さを評価して得られた値との相関を示す図である。縦軸は、図３の画像について外観評価装置１００で得られた外観粗さパラメータＲａである。横軸は、４名の評価者が視覚によりそれぞれ５段階（５が最良である）で評価した値の平均値である。この視覚による評価値は、「肌ランク値」と呼ばれ、評価者が肌ランク見本板と比較して得た目視評価の平均値であり、値が大きいほど肌が良いことを示す。この図６（Ｃ）から明らかなように、外観評価装置１００で得られた外観粗さパラメータＲａと４名の評価者が視覚によりそれぞれ５段階で評価して得られた値の平均値とは相関していることが分かる。
【００５９】
図７は、図６（Ａ）〜図６（Ｃ）で測定されたそれぞれの相関関係を比較した図である。横軸は、左から、前述の図６Ａ〜図６Ｃでそれぞれ測定された、株式会社ミツトヨ製ＳＪ−２１０を用いて物理的に表面粗さを測定して得られた値、ＢＹＫウェーブスキャン（登録商標）を用いて光学的に塗装表面性状を測定して得られた値、および４名の評価者が視覚によりそれぞれ５段階で評価して得られた値の平均値である。縦軸は、相関係数である。この例では、次の式Ｅｑ６で求められる相関係数を用いた。
【００６０】
【数６】
2019184537.tif 000008
…（Ｅｑ６）
【００６１】
図７によって分かるように、３つの相関係数の値のうち、４名の評価者が視覚によりそれぞれ５段階で評価した値の平均値が最も相関係数の値が高く、外観評価装置１００で得られた外観粗さパラメータＲａは、人間による視覚的判断に最も近い評価結果を示している。したがって、この例では、実際の多様な照明環境における人間による視覚的判断に近い、コーティング面の外観粗さの評価結果を得ることができたと言える。
【００６２】
実験結果によると、この例では、第１光源２１及び第２光源２２の光強度及び入射角θ１，θ２の設定については、第１光源２１の光強度及び入射角θ１の方が、第２光源２２の光強度及び入射角θ２と比較して、評価結果に対する影響が大きかった。したがって、まず、第１光源２１について優先して光強度及び入射角θ１を設定し、次に、第２光源２２の光強度及び入射角θ２を設定することが好ましい。
【００６３】
（色味評価）
上記の例では、外観粗さ評価をしたが、これに限られるものではない。
【００６４】
通常、コーティング面の色味は、人間の眼による判断に基づいて評価される。例えば、日本工業規格ＪＩＳＺ８７２３では、人工昼光の下で、評価者が、試料色と参考標準色を見比べて、それらの間の色差成分（色相差、彩度差、明度差）を０から５の６等級（０は知覚できない程度の差を表し、５は極端な差を表す。）に分類して評価することが定められている。しかしながら、人間により行う評価であるので、人間の個人差のため評価結果の精度を向上させることが困難であるという問題がある。
【００６５】
そこで、この実施形態では、外観評価装置１００において、外観粗さ評価部６０を後述する色味評価部に置き換えて、色味の評価結果の精度を高めることのできる外観評価装置を提供する。
【００６６】
図８（Ａ）は、図１０に示す番号１〜４が付された色味の異なる赤色のコーティングパネル１０１を対象とし、それらの表面を撮像して得られた複数の画像について得られたＲＧＢチャネルの色値であるＲＧＢプライマリープロファイルの図を示す。図８（Ｂ）は、図１０に示す番号５〜８が付された色味の異なる銀色のコーティングパネル１０１を対象とし、それらの表面を撮像して得られた複数の画像について得られたＲＧＢプライマリープロファイルの図を示す。図９（Ａ）は、図１１に示す番号９〜１１が付された色味の異なる黒色のコーティングパネル１０１を対象とし、それらの表面を撮像して得られた複数の画像について得られたＲＧＢプライマリープロファイルの図を示す。図９（Ｂ）は、図１１に示す番号１２〜１５が付された色味の異なる青色のコーティングパネル１０１を対象とし、それらの表面を撮像して得られた複数の画像について得られたＲＧＢプライマリープロファイルの図を示す。横軸は、８ビットの量子化による色空間ＲＧＢの成分の範囲であり、０〜２５５は、Ｒ（赤）成分、２５６〜５１１は、Ｇ（緑）成分、５１２〜７６７は、Ｂ（青）成分を表している。縦軸は、ＲＧＢ成分の強度を正規化した値である。
【００６７】
図８（Ａ）中の番号１〜４が付された色味の異なる赤色のコーティングパネル１０１は、番号が大きくなるに従って明るい赤色を示すコーティングパネル１０１を表している。図８（Ｂ）中の番号５〜８が付された色味の異なる銀色のコーティングパネル１０１は、番号が大きくなるに従って明るい銀色を示すコーティングパネル１０１を表している。同様に、図９（Ａ）中の番号９〜１１が付された色味の異なる黒色のコーティングパネル１０１は、番号が大きくなるに従って明るい黒色を示すコーティングパネル１０１を表している。図９（Ｂ）中の番号１２〜１５が付された色味の異なる青色のコーティングパネル１０１は、番号が大きくなるに従って明るい青色を示すコーティングパネル１０１を表している。これらＲＧＢプロファイルは、色の変化、すなわち、色の明るさが明るくなるに従って右にシフトしていることを表している。これらＲＧＢプロファイルの強度は、色のシフトの程度を表している。これらＲＧＢプロファイルの広がりの増加は、色のコントラストの増加を表している。
【００６８】
図１０は、この色味評価に用いたコーティングパネル１０１を番号順に示す。色味の異なる番号１〜４は、番号が大きくなるに従って明るい赤色を示している。色味の異なる番号５〜８は、番号が大きくなるに従って明るい銀色を示している。
【００６９】
図１１は、この色味評価に用いたコーティングパネル１０１を番号順に示す。色味の異なる番号９〜１１は、番号が大きくなるに従って明るい黒色を示している。色味の異なる番号１２〜１５は、番号が大きくなるに従って明るい青色を示している。
【００７０】
色味評価部は、ＲＧＢチャンネルの色値であるＲＧＢプロファイルが、色の明るさが明るくなるに従って右にシフトしていることを識別して、色が変化したことを評価する。ＲＧＢプロファイルの強度が変化していることを識別して、色のシフトの程度を評価する。ＲＧＢプロファイルの広がりが増加していることを識別して、色のコントラストの増加を評価する。
【００７１】
実験結果によると、この例では、第１光源２１及び第２光源２２の光強度及び入射角θ１，θ２の設定については、第１光源２１の光強度及び入射角θ１と比較して、第２光源２２の光強度及び入射角θ２の方が、評価結果に対する影響が大きかった。したがって、まず、第２光源２２について優先して光強度及び入射角θ２を設定し、次に、第１光源２１の光強度及び入射角θ１を設定することが好ましい。この例では、入射角θ１は、１０度から８０度の範囲で設定され、好ましくは、２０度から６０度の範囲で設定され、より好ましくは、３０度から５０度の範囲で設定される。入射角θ２は、１０度から８０度の範囲で設定され、好ましくは、２０度から６０度の範囲で設定され、より好ましくは、３０度から５０度の範囲で設定される。チルト角θｔは、１０度から８０度の範囲で設定され、好ましくは、２０度から７０度の範囲で設定され、より好ましくは、３０度から６０度の範囲で設定される。
【００７２】
以上のように、この例では、互いに入射角度が異なる２つの光源と、ＲＧＢチャンネルの色値であるＲＧＢプロファイルを用いて色味を評価している。その結果、コーティング面の色味の精度の高い評価結果を得ることができる。
【００７３】
以上の実施形態は例示であり、この発明の範囲から離れることなく様々な変形が可能である。上述した複数の実施の形態は、それぞれ単独で成立し得るものであるが、実施の形態同士の組みあわせも可能である。また、異なる実施の形態の中の種々の特徴も、それぞれ単独で成立し得るものであるが、異なる実施の形態の中の特徴同士の組みあわせも可能である。
【符号の説明】
【００７４】
１００  外観評価装置
１０１  コーティングパネル
２１    第１光源
２２    第２光源
３０    撮像部
４０    コンピュータ
５０    色値取得部
６０    外観粗さ評価部
【図１】
2019184537.tif 000009
【図２】
2019184537.tif 000010
【図３】
2019184537.tif 000011
【図４】
2019184537.tif 000012
【図５】
2019184537.tif 000013
【図６】
2019184537.tif 000014
【図７】
2019184537.tif 000015
【図８】
2019184537.tif 000016
【図９】
2019184537.tif 000017
【図１０】
2019184537.tif 000018
【図１１】
2019184537.tif 000019